(57)【特許請求の範囲】
【請求項１】
吸水性ポリマー粉体と、界面活性剤、凝集防止剤及び造粒剤からなり実質的に水分を含有しない粉状の洗浄剤を、少なくとも片面が透水性シートからなる２枚の挟持シートによって両側より挟持し、挟持シートの周囲を封止した皮膚または頭髪洗浄用シートであって、界面活性剤の量が、片面の透水性シートの面積（封止、固定部の面積を除く）に対して、０．００２〜０．１ｇ／ｃｍ2 であり、凝集防止剤の量が洗浄剤に対し１０〜６０質量％であることを特徴とする皮膚または頭髪洗浄用シート。
【請求項２】
吸水性ポリマー粉体として、イオン交換水に対する２５℃での吸水率が、１５０〜５００ｇ／ｇの範囲にあり、かつゲル強度が０．１０×１０００〜０．３５×１０００Ｎ／ｍ2の範囲にある高吸水性ポリマーを使用することを特徴とする請求項１記載の皮膚または頭髪洗浄用シート。
【請求項３】
透水性シートが積層シートであり、表外層シートの細孔の大きさが洗浄剤側の裏層シートの細孔の大きさより大きいことを特徴とする請求項１または２記載の皮膚または頭髪洗浄用シート。
【発明の詳細な説明】
【０００１】
【発明の属する技術分野】
本発明は、少なくとも片面が透水性シートからなる２枚のシートに挟持された吸水性ポリマーと界面活性剤に、使用時に水を含ませることによって、一瞬にして膨潤することにより、携帯性に優れ、また使用性の面では皮膚や頭髪表面に柔軟にフィットして、直接マッサージする時に、皮膚や頭髪を傷つけることなく、やわらかな肌ざわりを与え、さらにマッサージ効果及び洗浄効果を高めたことを特徴とする皮膚または頭髪洗浄用シートに関する。
【０００２】
【従来の技術】
従来、皮膚洗浄用具として、不織布やポリウレタンなどの発泡スポンジフォームに、界面活性剤からなる洗浄剤を含浸又は塗布した、ドライタイプまたはウェットタイプのシートやパフが使用されている。これら皮膚洗浄用具は、その不織布やスポンジフォームが洗浄剤の支持体であるばかりではなく、その素材自体が起泡に富むものであると、洗浄剤の泡立ちが増し、さらには不織布やスポンジフォームが被洗浄体に直接触れ、摩擦することにより、洗浄剤だけでは落としにくい汚れを効果的に落とすことが知られている。
【０００３】
しかしながら、不織布や薄いスポンジフォームなどのシートは、薄いので把持し難く、使用時に水に濡れてシートがよれやすく、拭き取りやマッサージ等の洗浄作業が行いにくい。またクッション性に欠け、肌ざわりも悪く、ごわつきを感じることもあった。
【０００４】
一方、厚みのあるスポンジフォーム等に洗浄剤を含有させたものでは、嵩張るために保管や携帯性に劣る。さらには厚いスポンジフォームを使用しているのでコストが高くなるという問題があった。
【０００５】
【発明が解決しようとする課題】
このように、従来の皮膚洗浄用シートでは、携帯性、コスト、把持性、肌当たりのよさ、あるいは皮膚に対するやさしさ等を総合的に満足させるものではなかった。
【０００６】
そこで、本発明の目的は、肌触りも良く使用感に優れ、皮膚や頭髪の洗浄効果、マッサージ効果に優れたうえ携帯に好適であって、上記課題を総合的に満足させた皮膚または頭髪洗浄用シートを提供することにある。
【０００７】
【課題を解決するための手段】
本発明者らは、上記課題を解決するために鋭意検討を行った結果、吸水性ポリマーを含有した洗浄剤を少なくとも片面が透水性シートからなる２枚のシートにより両側より挟持することにより、使用時に水に触れることにより一時にして膨潤し、優れた機能と品質を持つシートになることを見出し、本発明の皮膚または頭髪洗浄用シートを完成するに至った。
【０００８】
すなわち、本発明は、吸水性ポリマー粉体と、界面活性剤、凝集防止剤及び造粒剤からなり実質的に水分を含有しない粉状の洗浄剤を、少なくとも片面が透水性シートからなる２枚の挟持シートによって両側より挟持し、挟持シートの周囲を封止した皮膚または頭髪洗浄用シートであって、界面活性剤の量が、片面の透水性シートの面積（封止、固定部の面積を除く）に対して、０．００２〜０．１ｇ／ｃｍ2 であり、凝集防止剤の量が洗浄剤に対し１０〜６０質量％であることを特徴とする皮膚または頭髪洗浄用シートにある。
【０００９】
【発明の実施の形態】
以下、本発明について詳細に説明する。
【００１０】
本発明の皮膚または頭髪洗浄用シートは、吸水性ポリマー粉体と界面活性剤の混合物から構成する洗浄剤を、少なくとも片面が透水性シートである２枚のシートにより両側より挟み込み、また洗浄剤層が使用時までにシートの周囲から漏れない程度に、シートの周囲、またはシートの他の一部を熱圧着等により上下挟持シート層を封止し固定したものである。
【００１１】
本発明で用いられる吸水性ポリマー粉体は、アクリル酸、メタクリル酸およびそれらの塩、アクリルアミド、ビニルピロリドン、ビニルアルコール、ビニルメルチルエーテル、２−ヒドロキシメタクリレート、スチレンスホン酸およびその塩、２−メタクリロイルエタンスルホン酸およびその塩、Ｎ−置換メタアクリルアミド、ポリエチレンオキシドメタクリル酸エステル、酢酸ビニル、無水マレイン酸などの１種または２種以上の（共）重合体、それら重合体の混合体、またはカラギーナン、ゼラチン、寒天、ヒドロキシエチルセルロース、カルボキシメチルセルロース、ビスコース、エチルセルロースなどの微架橋構造を有する変性ポリマーが挙げられる。この中でも、特にアクリル酸およびその塩、メタクリル酸およびその塩、アクリルアミドから選ばれる骨格を有し、かつ微架橋構造を有するポリマーが好ましい。さらに好ましくは、アクリル酸およびその塩を微架橋させたものである。架橋剤の例としては、エチレングリコールジグリシジルエーテル、ポリエチレングリコールジグリシジルエーテルなどのエポキシ系架橋剤、Ｎ，Ｎ’−メチレンビスアクリルアミドなどの架橋剤などが挙げられる。重合方法、架橋剤の使用などは通常のものであり、前記の吸水率とゲル強度を有する高吸水性ポリマーとしては、上記の単量体と架橋剤の量比によって調製できる。
【００１２】
上記吸水性ポリマー粉体は、水によって膨潤するが水に不溶であって、形状としては球状、不定形状、板状などが挙げられるが特に問わない。また粒子径としては、乾燥時の粒子径が０．１〜１０００ミクロンが好ましく、さらに好ましくは０．５〜５００ミクロンである。吸水性ポリマーの吸水性としては、後で述べる測定方法によるイオン交換水に対する２５℃での吸水率が５０〜２０００ｇ／ｇの範囲が好ましく、更に好ましくは１５０〜５００ｇ／ｇの範囲の吸水率であり、さらにはゲル強度が０．１０〜×１０００〜０．３５×１０００Ｎ／ｍ2の範囲にある高吸水性ポリマーであることが好ましい。
【００１３】
吸水率の測定方法は次の通りである。
２５℃のイオン交換水１００ｇに吸水性ポリマー粉体０．２ｇを攪拌しない状態で加え、１０分経過後、８０メッシュのナイロン網でろ過し、１０分間水切りをした後の重量を５倍（１ｇ当たりの吸水率に変換）して吸水率とした。
【００１４】
また、ゲル強度の測定方法は次の通りである。
測定装置として、飯尾電気製のカードメーター（ＣＵＲＤＭＥＴＥＲ  ＭＡＸ型）を用いる。イオン交換水６０ｇに吸水性ポリマー０．６ｇをマグネチックスターラーで攪拌しながら加え、１００倍のゲルを作製し、これを３０℃のインキュベーター中に８時間放置後、上記カードメーターを用いてゲル強度の測定を行う。
【００１５】
吸水性ポリマー粉体の量としては、吸水性ポリマー粉体が水にて膨潤した時のシート全体の厚みの点から、片面の透水性シートの面積（封止、固定部の面積を除く）に対して、０．０００５〜０．１ｇ／ｃｍ2が好ましく、特に好ましくは０．００５〜０．０５ｇ／ｃｍ2である。
【００１６】
本発明の皮膚または頭髪洗浄用シートは、従来の皮膚または頭髪洗浄用シートと比べて、吸水性ポリマー粉体が水と触れ合うと一時にして膨潤し、閉持されたシート内を吸水性ポリマーが自由に動くことにより皮膚や頭髪の形状によりフィットしやすく、肌や頭髪を傷つけることなくなめらかな感触を有する特徴を持っことができる。
【００１７】
さらに、上記吸水率とゲル強度を有する吸水性ポリマー粉体は、吸水能が高く、その他の配合成分と容易に混合でき、また起泡性等や感触に悪影響を与えることが無い特徴を有する。
【００１８】
本発明で用いられる界面活性剤としては、通常洗浄剤として一般的に用いられる界面活性剤であり、例えば、アニオン性界面活性剤、カチオン性界面活性剤、ノニオン性界面活性剤、両性界面活性剤の１種、２種以上を用いることができる。より詳しくは脂肪酸石鹸、α−アシルスルホン酸塩、アルキルスルホン酸塩、アルキルアリルスルホン酸塩、アルキルナフタレンスルホン酸塩、アルキル硫酸塩、アルキルエーテル硫酸塩、アルキルアミド硫酸塩、アルキルリン酸塩、アルキルアミドリン酸塩、アルキロイルアルキルタウリン塩、Ｎ−アシルアミノ酸塩、スルホコハク酸塩、パーフルオロアルキルリン酸エステル等のアニオン性界面活性剤、塩化アルキルトリメチルアンモニウム、塩化ステアリルトリメチルアンモニウム、臭化ステアリルトリメチルアンモニウム、塩化セトステアリルトリメチルアンモニウム、塩化ジステアリルジメチルアンモニウム、塩化ステアリルジメチルベンジルアンモニウム、臭化ベヘニルトリメチルアンモニウム等のカチオン性界面活性剤、ラウリン酸アルカノールアミド、ＰＯＥソルビタン脂肪酸エステル、ＰＯＥグリセリン脂肪酸エステル、ＰＯＥ脂肪酸エステル等のノニオン性界面活性剤、カルボキシベタイン型、アミドベタイン型、スルホベタイン型、ヒドロキシスルホベタイン型、アミドスルホベタイン型、ホスホベタイン型、アミノカルボン酸塩型、イミダゾリン誘導体型、アミドアミン型等の両性界面活性剤が挙げられる。また、サポニン、糖系界面活性剤等の天然系界面活性剤を用いることもできる。その中でも、洗浄時や洗浄後の感触から、皮膚洗浄用シートの場合には主に脂肪酸石鹸を用いることが好ましく、頭髪洗浄用シートの場合には主に両性界面活性剤を用いることが好ましい。
界面活性剤の量としては、起泡性、洗浄性の点から、片面の透水性シートの面積（封止、固定部の面積を除く）に対して、０．００２〜０．１ｇ／ｃｍ2が好ましく、特に好ましくは０．００５〜０．０５ｇ／ｃｍ2である。
【００１９】
上記吸水性ポリマー粉体および界面活性剤の混合物からなる洗浄剤層は、実質的に水分を含有しないことが必要である。ここで言う実質的に水分を含有しないとは、本発明の皮膚または頭髪洗浄用シートを水で濡らした時に吸水性ポリマーが膨潤しない程度までの多くの水分を含んでいない状態を言う。好ましくは洗浄剤層の水分が３質量％以下であることが好ましい。
【００２０】
また、上記洗浄剤には、洗浄剤が粉状である場合には、カオリン、タルク、マイカ、セリサイト、シリカ等の凝集防止剤を、例えば１０〜６０質量％と、ヒドロキシプロピルセルローズ、カルボキシメチルセルローズ等の造粒剤を、例えば０．５〜１０質量％とを混合して安定な造粒体とすることが好ましい。また、上記洗浄剤には、蛋白分解酵素、パパイン、パンクレアチン等の酵素を、例えば０．０５〜１質量％配合すると、洗浄効果が高まるので好ましい。さらに、上記の成分以外に、通常の皮膚や頭髪の洗浄剤として用いられる油剤、粉体（顔料、色素、樹脂）、フッ素化合物、樹脂、防腐剤、香料、保湿剤、塩類、溶媒、酸化防止剤、キレート剤、中和剤、ＰＨ調整剤、薬効成分等を、本発明目的を損なわない程度に適宜使用できる。
【００２１】
さらに、上記の本発明の必須性成分や任意成分以外に、水と接触すると発熱する発熱剤を洗浄剤層に含有させることができる。発熱剤としては、ゼオライト、焼き石膏、合成ハイドロタルサイト、焼成合成ハイドロタルサイト、無水ケイ酸等が使用される。発熱剤を洗浄剤に配合するさいには、その配合量としては、洗浄剤中に１〜５０質量％が好ましい。
【００２２】
本発明で用いられる挟持シートの透水性シートとしては、例えば不織布、多孔性フィルム、発泡体シート、編織布、和紙、織布、コットンの単層及びこれらの積層物で透水性であって水不溶解性を有するものであれば、公知のどのようなものでも用いることができる。特に好ましくは不織布である。そしてこれら単層または積層物はさらに植毛により繊維で覆ったり、凹凸をつける等の二次加工により、表面特徴を変えたものも使用することができる。また、本発明の洗浄剤を内在のシート製品では挟持シートの２面のうち、少なくとも片面が透水性シートであることが必要であるが、他の面には非透水性シートであつてもよいが、非透水シートとしては、ポリエチレン、ポリプロピレン、ポリウレタン、ポリアクリル、ポリエステル、ビニリデン、ポリ塩化ビニル、ナイロン等のシート等を用いることができるが、本発明の目的から両面が透水性シートであることが好ましい。
【００２３】
上記透水性シートとしては、具体的には、綿、麻、羊毛等の天然繊維、レーヨン、アセテート等のセルロース系繊維、ポリエチレン、ポリプロピレン、ポリウレタン、ポリアクリル、ポリエステル、ビニリデン、ポリ塩化ビニル、ナイロン等の合成繊維等の繊維からなる不織布、編織布、和紙、多孔性フィルム、連続通気孔を有する発泡体シート、また上記繊維の編織布等が上げられ、これらの単体物あるいは複数以上の複合体であってもよい。
【００２４】
さらに、これら透水性シートは十分に空隙、孔等の細孔を有するものもので、その大きさは、挟持する洗浄剤の混合物の裏抜けが無く、しかも十分に水を通すためには、０．１μｍ〜１５ｍｍの細孔を有するものが好ましい。シートの厚みは５μｍ〜２０ｍｍのものが好ましく、特にシートの固定強度と使用時の柔軟性から特に２０μｍ〜５ｍｍの厚みのものが好ましい。
【００２５】
透水性シートとして、空隙、孔等の細孔の大きさが異なる２枚以上のシートを重ねてまたは積層にして用いることもできる。この場合、特に表層（洗浄剤側と反対側）のシートの細孔の大きさが裏層（洗浄剤側）の細孔の大きさより大きいものを用いることが好ましい。裏層のシートの細孔としては、洗浄剤が裏抜けしないように、例えば0.１μｍ〜５００μｍ細孔を有し、表層のシートとしては、起泡性を高め、摩擦によって皮膚等の汚れを落とし易くし、またマッサージ効果を得るために、例えば５５０μｍ〜１０ｍｍの細孔を有するものが好ましい。表層と裏層とで細孔の大きさが異なる不織布等のシートを積層する方法としては、熱による接着、接着剤による接着、繊維の交絡等の通常の方法を用いることができ、さらには接着力を高める為に、上記方法により接着性の良いシートを表層と裏層の間に挟むこともできる。裏層シートとしてはポリエチレン等の熱接着性のある繊維を含む不織布が、熱による積層や後での熱による封止がし易いので好ましい。
【００２６】
少なくとも一枚が透水性シートからなる２枚の挟持シートは洗浄剤層を内側に挟み、少なくとも１個所以上にて上下を固定してあることが好ましく、特に挟持する洗浄剤層を閉持し漏れないように、洗浄剤の周辺部を封止してあることが必要である。
【００２７】
２枚の挟持シートの少なくとも周縁同士を封止し固定する方法として、例えば熱圧着、超音波、高周波による融着固定、機械的圧着、接着剤による接着、縫製等の、公知のどのような方法でも用いることができる。
【００２８】
本発明の皮膚または頭髪洗浄用シートは、例えば図１、２に示されるように、吸水性ポリマー粉体を含有した洗浄剤層（２）を透水性シート（１）からなる挟持シートにより両側から挟持し、その周囲を封止することによって封止部（１ａ）を有するシート状のものである。使用時には水や化粧水を用いることによって、水等の液体が透水性シートの外側から中に透過し、挟持された洗浄剤層に含まれる吸水性ポリマー粉体を膨潤させてシート全体の厚みを増すとともに、界面活性剤の洗浄成分は透水性シートを透過して顔や頭髪等の身体表面の被洗浄体に作用する。本皮膚または頭髪の洗浄のシートの製造方法、大きさ、形状は、この一連の作用機序を有するものであれば、上記や下記のものに特に限定されるものではない。
【００２９】
本皮膚または頭髪洗浄用シートは、上下の挟持シートの周縁を、一部を残して大部分を封止し、残った開口部から吸水ポリマー粉体と界面活性剤の混合物である洗浄剤を注入した後、開口部を封止し、洗浄剤層に水分を含む場合には乾燥させて本皮膚または頭髪洗浄用シートが得られる。
【００３０】
あるいは、上下の挟持シートの一方あるいは両方に、洗浄剤を全体的あるいは部分的に塗工または含侵し、洗浄剤層を内側に位置するように重ね、洗浄剤層に水分を含む場合には乾燥後、適宜固定して、好ましい大きさにカットすることもできる。
【００３１】
さらには、予め洗浄剤を支持体に塗工または含侵し、洗浄剤層に水分を含む場合には乾燥後、好ましい大きさにカットしたものを、挟持シートにより両側から挟み、該挟持シートの周縁部を固定することでも得られる。
【００３２】
上記支持体としては、例えば綿、麻、羊毛等の天然繊維、レーヨン、アセテート等のセルロース系繊維、ポリエチレン、ポリプロピレン、ポリウレタン、ポリアクリル、ポリエステル、ビニリデン、ポリ塩化ビニル、ナイロン等の合成繊維からなる不織布、フィルム、発泡体シート、和紙、織布、コットン等の単層および積層物が上げられる。特には化粧料の密着性および塗工乾燥のし易さからレーヨン、ポリエチレン、ポリプロピレン、ポリエステル等からなる不織布が好ましい。
【００３３】
これら皮膚または頭髪洗浄用シートは、さらに洗浄効果等を高める為に、挟持シートに界面活性剤、保湿剤等を塗工することもできる。
【００３４】
本発明の皮膚または頭髪洗浄用シートの具体的な製造方法の例を図面に基づき述べるが、これらの製造方法に限定されるものではない。
図３に示すように、ロール巻きされた連続の不織布からなる支持体（３）に吸水性ポリマー粉体と界面活性剤からなる洗浄剤（２）を塗工し、洗浄剤に水分を含む場合は乾燥した後、一定の形状にカットする。これらの工程は連続的に行われる。次に、このカットされた洗浄剤（２）が塗工されたシートを２枚の透水性シート（１）の不織布の間に挿入し挟持して、その周囲をヒートシールすることによって製品とする。
または、図４に示すように、ロール巻きされた２枚の不織布からなる透水性シート（１）を準備し、一方の透水性シート（１）に吸水性ポリマー粉体と界面活性剤からなる洗浄剤（２）を塗工し、洗浄剤に水分を含む場合は乾燥した後、洗浄剤層（２）が内側になるように他の透水性シート（１）と２枚重ねした後、一定の形状になるように、洗浄剤層（２）の外側の周囲をヒートシールしカットすることによって製品とする。これらの工程は連続的に行われる。
【００３５】
上記の様にして得られる皮膚または頭髪洗浄用シートの形状としては、円形、楕円形、矩形等が挙げられ、適用する身体部位によって形状と大きさを選択して製造することが好ましい。そして、これら皮膚または頭髪膚洗浄用シートは、例えば、保管時の吸水性ポリマー粉体の吸湿を避けるために、水分を透過しないフィルムで製品を密封するか、または水分遮断性であり密閉機構を有する容器に製品を複数枚収納することが好ましい。
【００３６】
本発明の皮膚または頭髪洗浄用シートの使用方法としては、該シートに水をつけるか、化粧水をしみ込ませて使用する方法が挙げられる。
【００３７】
【実施例】
以下、実施例に基づき、本発明を具体的に説明する。
なお、評価方法としては、１０名のパネラーが皮膚洗浄用シートを使用し、各評価項目で官能試験を行い、下記評価基準で評価した。
［官能評価基準］
◎  ：  良いと答えた人が９〜１０名
〇  ：  良いと答えた人が６〜８名
△  ：  良いと答えた人が３〜５名
×  ：  良いと答えた人が０〜２名
【００３８】
実施例１、２、比較例１
下記表１の処方で吸水性ポリマー及び界面活性剤等からなる粉状洗浄剤の各混合物を作製した。なお、配合量は質量％である。
そして透水性シートとしては不織布を用いた。実施例１，２は大紀商事株式会社製の「フルベール（商品名）」を、実施例３は表層シートとしてレーヨン４０％とポリエステル３０％のスパンレース不織布（５１ｇ／ｍ2、約１ｍｍ角の細孔を有するもの）、洗浄剤側となる裏層シートとしては低密度ポリエチレン１００％のスパンボンド不織布（５１ｇ／ｍ2、約７０μｍの細孔を有するもの）を積層シートを用いた。これら不織布を７０ｍｍの真円にカットした２枚の該挟持シートの間に、得られた洗浄剤の各混合物を２ｇ入れ、周辺部を５ｍｍ幅にてヒートシール固定し、図１、２に示す形状の実施例１、２、３の皮膚洗浄用シートを製造した。吸水性ポリマー粉体としては、ポリアクリル酸・ポリアクリル酸ナトリウム共重合体であつて、メチレンビスアクリルアミド０．０１質量％を用い微架橋した、乾燥時の粒子径が２００メッシュパスで、吸水率が２２５ｇ／ｇ、ゲル強度が０.２５８×１０００Ｎ／ｍ2で、イオン交換水吸水時（２２５ｇ／ｇ吸水時）の平均粒子径が約０．５ｍｍであるものを用いた。また、同様にして比較例１の皮膚洗浄用シートを「フルベール（商品名）」を用いて作製した。
得られた皮膚洗浄用シートについて上記官能評価を行い、表１の結果を得た。
【００３９】
0004390998.tif 000002
【００４０】
表１の下欄の結果から、本発明の実施例１、２、３は、吸水性ポリマー粉体が使用時の水で十分膨潤し、シートがよれずに使用しやすく、また肌への密着感があり、ごわつきも無く優れていた。また、各実施例は、比較例に比べて洗顔したことへの高い満足度も得られた。
【００４１】
さらに皮膚洗浄用シートについて上記官能評価を行った結果、各実施例の皮膚洗浄用シートは肌にも異常が認められず安全であった。特に実施例３のシートは各評価項目で良い結果が得られた以外に、実施例１、２よりも泡立ち、汚れの除去効果、マッサージ効果に優れているとの評価が得られた。
【００４２】
【発明の効果】
上記の如く、本発明は、携帯に便利で、手での把持性に優れ、密着感があり肌や毛髪に優しい、皮膚または頭髪洗浄用シートを提供できることは明らかである。
【図面の簡単な説明】
【図１】本発明の皮膚洗浄用シートの一実施例を示す平面図である。
【図２】図１の皮膚洗浄用シートの断面図である。
【図３】本発明の皮膚洗浄用シートの製造方法の一実施例を示す説明図である。
【図４】本発明の皮膚洗浄用シートの製造方法の他の実施例を示す説明図である。
【符号の説明】
１    透水性シート
１ａ  封止部
２    洗浄剤（吸水性ポリマー粉体と界面活性剤含有）
３    支持体
【図１】
0004390998.tif 000003
【図２】
0004390998.tif 000004
【図３】
0004390998.tif 000005
【図４】
0004390998.tif 000006